【手続補正書】
【提出日】令和1年12月24日(2019.12.24)
【手続補正１】
【補正対象書類名】明細書
【補正対象項目名】０００５
【補正方法】変更
【補正の内容】
【０００５】
上記の課題は、下記の構成のトナーにより解決することができる。
すなわち、本発明は、静電潜像担持体を帯電手段により帯電する帯電工程、
帯電された前記静電潜像担持体を露光して静電潜像を形成する露光工程、
現像装置を用いて、トナーと磁性キャリアを含む現像剤により前記静電潜像を現像してトナー像を形成する現像工程、
中間転写体を介して又は介さずに前記トナー像を転写材に転写する転写工程、及び
転写されたトナー像を転写材に定着する定着工程
を有する画像形成方法において、
前記画像形成方法は、イエロートナー、マゼンタトナー、シアントナー、及びブラックトナーからなる群から選択される１種以上の有色トナーと透明トナーとを組み合わせてカラートナー画像を形成し、前記転写材上の最上層に透明トナー像を形成する画像形成方法であり、
前記有色トナー及び透明トナーは、結着樹脂、及び離型剤を含むトナーであり、
前記有色トナーの９０℃における貯蔵弾性率Ｇ’Cl（９０）と、前記透明トナーの９０℃における貯蔵弾性率Ｇ’Tr（９０）が、以下の式（１）〜（３）を満足する
ことを特徴とする画像形成方法に関する。
３．０×１０5（Ｐａ）≦Ｇ’Tr（９０）≦１．０×１０7（Ｐａ）    （１）
５．０×１０4（Ｐａ）≦Ｇ’Cl（９０）≦１．０×１０6（Ｐａ）    （２）
７．０≦Ｇ’Tr（９０）／Ｇ’Cl（９０）≦１００．０              （３）
また、本発明は、静電潜像担持体を帯電するための帯電手段、
帯電された前記静電潜像担持体を露光して静電潜像を形成するための露光手段、
トナーと磁性キャリアを含む現像剤を有し、前記現像剤により前記静電潜像を現像してトナー像を形成するための現像手段、
中間転写体を介して又は介さずに前記トナー像を転写材に転写するための転写手段、及び
転写されたトナー像を前記転写材に定着するための定着手段
を有する画像形成装置おいて、
前記画像形成装置は、イエロートナー、マゼンタトナー、シアントナー、及びブラックトナーからなる群から選択される１種以上の有色トナーと透明トナーとを組み合わせてカラートナー画像を形成し、前記転写材上の最上層に透明トナー像を形成する画像形成装置であり、
前記有色トナー及び透明トナーは、結着樹脂、及び離型剤を含むトナーであって、
前記有色トナーの９０℃における貯蔵弾性率をＧ’Cl（９０）と、前記透明トナーの９０℃における貯蔵弾性率Ｇ’Tr（９０）が、以下の式（１）〜（３）を満足する
ことを特徴とする画像形成装置に関する。
３．０×１０5（Ｐａ）≦Ｇ’Tr（９０）≦１．０×１０7（Ｐａ）    （１）
５．０×１０4（Ｐａ）≦Ｇ’Cl（９０）≦１．０×１０6（Ｐａ）    （２）
７．０≦Ｇ’Tr（９０）／Ｇ’Cl（９０）≦１００．０              （３）
さらに、本発明は、静電潜像担持体を帯電手段により帯電する帯電工程、
帯電された前記静電潜像担持体を露光して静電潜像を形成する露光工程、
現像装置を用いて、トナーと磁性キャリアを含む現像剤により前記静電潜像を現像し、トナー像を形成する現像工程、
中間転写体を介して又は介さずに前記トナー像を転写材に転写する転写工程、及び
転写されたトナー像を転写材に定着する定着工程
を有する画像形成方法に用いられるトナーキットおいて、
前記画像形成方法は、イエロートナー、マゼンタトナー、シアントナー、及びブラックトナーからなる群から選択される１種以上の有色トナーと透明トナーとを組み合わせてカラートナー画像を形成し、前記転写材上の最上層に透明トナー像を形成する画像形成方法であり、
前記有色トナー及び透明トナーは、結着樹脂、離型剤を含むトナーであって、
前記有色トナーの９０℃における貯蔵弾性率をＧ’Cl（９０）と、前記透明トナーの９０℃における貯蔵弾性率Ｇ’Tr（９０）が以下の式（１）〜（３）を満足することを特徴とする画像形成方法に用いられるトナーキットに関する。
３．０×１０5（Ｐａ）≦Ｇ’Tr（９０）≦１．０×１０7（Ｐａ）    （１）
５．０×１０4（Ｐａ）≦Ｇ’Cl（９０）≦１．０×１０6（Ｐａ）    （２）
７．０≦Ｇ’Tr（９０）／Ｇ’Cl（９０）≦１００．０              （３）
【手続補正２】
【補正対象書類名】特許請求の範囲
【補正対象項目名】全文
【補正方法】変更
【補正の内容】
【特許請求の範囲】
【請求項１】
静電潜像担持体を帯電手段により帯電する帯電工程、
帯電された前記静電潜像担持体を露光して静電潜像を形成する露光工程、
現像装置を用いて、トナーと磁性キャリアを含む現像剤により前記静電潜像を現像してトナー像を形成する現像工程、
中間転写体を介して又は介さずに前記トナー像を転写材に転写する転写工程、及び
転写されたトナー像を転写材に定着する定着工程
を有する画像形成方法において、
前記画像形成方法は、イエロートナー、マゼンタトナー、シアントナー、及びブラックトナーからなる群から選択される１種以上の有色トナーと透明トナーとを組み合わせてカラートナー画像を形成し、前記転写材上の最上層に透明トナー像を形成する画像形成方法であり、
前記有色トナー及び透明トナーは、結着樹脂、及び離型剤を含むトナーであり、
前記有色トナーの９０℃における貯蔵弾性率Ｇ’Cl（９０）と、前記透明トナーの９０℃における貯蔵弾性率Ｇ’Tr（９０）が、以下の式（１）〜（３）を満足する
ことを特徴とする画像形成方法。
３．０×１０5（Ｐａ）≦Ｇ’Tr（９０）≦１．０×１０7（Ｐａ）    （１）
５．０×１０4（Ｐａ）≦Ｇ’Cl（９０）≦１．０×１０6（Ｐａ）    （２）
７．０≦Ｇ’Tr（９０）／Ｇ’Cl（９０）≦１００．０              （３）
【請求項２】
前記有色トナーの１３０℃における貯蔵弾性率Ｇ’Cl（１３０）と、前記透明トナーの１３０℃における貯蔵弾性率Ｇ’Tr（１３０）が、以下の式（４）及び（５）を満足することを特徴とする請求項１に記載の画像形成方法。
１．０×１０3（Ｐａ）≦Ｇ’Cl（１３０）≦１．０×１０5（Ｐａ）  （４）
０．５≦Ｇ’Tr（１３０）／Ｇ’Cl（１３０）≦５．０              （５）
【請求項３】
静電潜像担持体を帯電するための帯電手段、
帯電された前記静電潜像担持体を露光して静電潜像を形成するための露光手段、
トナーと磁性キャリアを含む現像剤を有し、前記現像剤により前記静電潜像を現像してトナー像を形成するための現像手段、
中間転写体を介して又は介さずに前記トナー像を転写材に転写するための転写手段、及び
転写されたトナー像を前記転写材に定着するための定着手段
を有する画像形成装置おいて、
前記画像形成装置は、イエロートナー、マゼンタトナー、シアントナー、及びブラックトナーからなる群から選択される１種以上の有色トナーと透明トナーとを組み合わせてカラートナー画像を形成し、前記転写材上の最上層に透明トナー像を形成する画像形成装置であり、
前記有色トナー及び透明トナーは、結着樹脂、及び離型剤を含むトナーであって、
前記有色トナーの９０℃における貯蔵弾性率をＧ’Cl（９０）と、前記透明トナーの９０℃における貯蔵弾性率Ｇ’Tr（９０）が、以下の式（１）〜（３）を満足する
ことを特徴とする画像形成装置。
３．０×１０5（Ｐａ）≦Ｇ’Tr（９０）≦１．０×１０7（Ｐａ）    （１）
５．０×１０4（Ｐａ）≦Ｇ’Cl（９０）≦１．０×１０6（Ｐａ）    （２）
７．０≦Ｇ’Tr（９０）／Ｇ’Cl（９０）≦１００．０              （３）
【請求項４】
静電潜像担持体を帯電手段により帯電する帯電工程、
帯電された前記静電潜像担持体を露光して静電潜像を形成する露光工程、
現像装置を用いて、トナーと磁性キャリアを含む現像剤により前記静電潜像を現像し、トナー像を形成する現像工程、
中間転写体を介して又は介さずに前記トナー像を転写材に転写する転写工程、及び
転写されたトナー像を転写材に定着する定着工程
を有する画像形成方法に用いられるトナーキットおいて、
前記画像形成方法は、イエロートナー、マゼンタトナー、シアントナー、及びブラックトナーからなる群から選択される１種以上の有色トナーと透明トナーとを組み合わせてカラートナー画像を形成し、前記転写材上の最上層に透明トナー像を形成する画像形成方法であり、
前記有色トナー及び透明トナーは、結着樹脂、離型剤を含むトナーであって、
前記有色トナーの９０℃における貯蔵弾性率をＧ’Cl（９０）と、前記透明トナーの９０℃における貯蔵弾性率Ｇ’Tr（９０）が以下の式（１）〜（３）を満足することを特徴とする画像形成方法に用いられるトナーキット。
３．０×１０5（Ｐａ）≦Ｇ’Tr（９０）≦１．０×１０7（Ｐａ）    （１）
５．０×１０4（Ｐａ）≦Ｇ’Cl（９０）≦１．０×１０6（Ｐａ）    （２）
７．０≦Ｇ’Tr（９０）／Ｇ’Cl（９０）≦１００．０              （３）